(57)【要約】【課題】２つの受け部が偏心した状況にあっても、円滑に回転する回転軸を提供する。【解決手段】離間する２つの受け部１４，１５により回転可能に支承される回転軸１１の、上記受け部１４，１５間に位置する部分に、弾性変形可能な２つ（複数）の波形部１８，１９を、波形の起伏の方向を異ならせて有するようにすることにより、受け部１４，１５が偏心した状況（偏心量δ）にある場合にも、回転軸１１が、その偏心状況に、波形部１８，１９の弾性変形によって応じる。しかも、波形部１８，１９は２つが波形の起伏の方向を異ならせて存するから、複数の方向に、より柔軟に応じる。かくして、回転軸１１は受け部１４，１５によって回転を阻害される力を極力受けず、円滑に回転されるようになる。【選択図】　図１
2004108441.tif 000002
【特許請求の範囲】
【請求項１】
離間する２つの受け部により回転可能に支承される回転軸において、
前記２つの受け部間に位置する部分に、弾性変形可能な波形部を複数、波形の起伏の方向を異ならせて有することを特徴とする回転軸。
【発明の詳細な説明】
【０００１】
【発明の属する技術分野】
本発明は離間する２つの受け部により回転可能に支承される回転軸に関する。
【０００２】
【従来の技術】
従来より、例えば車両用のスイッチ装置においては、操作ノブの操作回転を回転軸によってコンタクトホルダに伝え、それにより、コンタクトホルダが有した可動コンタクトを固定コンタクトに接離させるようにしたものが供されている。
図５は、そのものの回転軸１と、その一般的支承構造を示しており、図示しない操作ノブ側とコンタクトホルダ側とに離間する２つの受け部２，３を回転軸１が貫通して、それら２つの受け部２，３により回転軸１が回転可能に支承されている。
【０００３】
なお、本願発明と直接関係ないが、本願発明と形状が似たものして、トリガー式液体噴出器の弁部材に弾性変形可能な波形部を複数設けたものがある（例えば特許文献１参照）。
【０００４】
【特許文献１】
特開平１０−１５１３８４号公報（第２頁、図１）
【０００５】
【発明が解決しようとする課題】
図５に示した従来のものの場合、２つの受け部２，３が製造や組立てのばらつきによって偏心した場合（偏心量δ）、それら２つの受け部２，３に対して回転軸１が傾斜して支承され、この結果、受け部２，３ではそれぞれ回転軸１が圧接する部分２ａ，３ａと、圧接しない部分２ｂ，３ｂとが生じて、圧接する部分２ａ，３ａでは回転軸１に対する大きな摩擦力が発生し、この摩擦力のために回転軸１が円滑に回転されず、操作ノブの操作が重くなるという問題点を有していた。
【０００６】
本発明は上述の事情に鑑みてなされたものであり、従ってその目的は、２つの受け部が偏心した状況にあっても、円滑に回転する回転軸を提供するにある。
【０００７】
【課題を解決するための手段】
上記目的を達成するために、本発明は、離間する２つの受け部により回転可能に支承される回転軸において、上記２つの受け部間に位置する部分に、弾性変形可能な波形部を複数、波形の起伏の方向を異ならせて有することを特徴とする。
【０００８】
このものによれば、２つの受け部が偏心した状況にある場合、回転軸は、２つの受け部の偏心状況に、波形部の弾性変形によって応じる。しかも、その場合、波形部は複数が波形の起伏の方向を異ならせて存するから、複数の方向に、より柔軟に応じるものであり、かくして、回転軸は回転を阻害される力を極力受けず、円滑に回転されるようになる。
【０００９】
【発明の実施の形態】
以下、本発明の一実施例につき、図１ないし図４を参照して説明する。
まず、図１には、例えば車両用のスイッチ装置における回転軸１１と、その支承構造を示しており、操作ノブ１２側とコンタクトホルダ１３側とに２つの受け部１４，１５が離間して位置している。
【００１０】
これらの受け部１４，１５は、例えば回転軸１１とコンタクトホルダ１３、及びコンタクトホルダ１３が有する可動コンタクト１６、並びに可動コンタクト１６と対応する固定コンタクトを有するインシュレータ等（図示省略）を収容するケースや、該ケース内の仕切壁によって形成しており、受け部１４は短円筒状、受け部１５は円孔状を成している。又、そのほかに、受け部１５の近傍には短円筒状を成す節度受け部１７を形成している。
【００１１】
これに対して、回転軸１１は、操作ノブ１２側の一端部１１ａと、コンタクトホルダ１３側の他端部１１ｂとが共に円柱状を成し、その間に、この場合、２つの波形部１８，１９を形成し、それよりコンタクトホルダ１３側につば部２０を形成している。この回転軸１１の一端部１１ａと他端部１１ｂ、及び波形部１８，１９、つば部２０は、すべて合成樹脂により一体に形成したものであり、特に波形部１８，１９は、その波形による弾性変形が可能となっている。又、波形部１８，１９は、図２ないし図４に示すように、波形の起伏の方向を異ならせており、その異なる方向は、２つの波形部１８，１９に関しては９０度の角度方向である。
【００１２】
前記操作ノブ１２は、図１に示すように、回転軸１１の一端部１１ａに取付けている。又、この操作ノブ１２は、前側に凹みのある円形の基盤部１２ａの中央に縦長のつまみ部１２ｂを設けて成るもので、更に、その基盤部１２ａの周囲部には短円筒状の側壁１２ｃを設けており、この側壁１２ｃを前記一方の受け部１４の外周に操作ノブ１２の回転方向に摺動可能に被嵌し、これによって回転軸１１の一端部１１ａを操作ノブ１２を介して回転可能に支承するようにしている。
【００１３】
一方、前記他方の受け部１５には回転軸１１の他端部１１ｂを同じく操作ノブ１２の回転方向に摺動可能に挿通し、これによって回転軸１１の他端部１１ｂを回転可能に支承するようにしている。そして、その結果、前記２つの波形部１８，１９は、つば部２０と共に、２つの受け部１４，１５間に位置している。
前記コンタクトホルダ１３は上記他方の受け部１５より突出した回転軸１１の他端部１１ｂ端に取付けており、従って、上記操作ノブ１２を回転操作すると、その回転が回転軸１１からコンタクトホルダ１３に伝わり、それによって、前記可動コンタクト１６が前記固定コンタクトに接離するようになっている。
【００１４】
そして、前記つば部２０には、その周方向の一箇所に凹部２１を形成しており、この凹部２１には節度ピース２２をスプリング２３で外方に付勢するように収容し、この節度ピース２２と共につば部２０を前記節度受け部１７の内部に挿入している。
【００１５】
又、節度ピース２２に対して、節度受け部１７の内周部には凹部２４を複数、操作ノブ１２の回転方向に並べて形成しており、これによって、操作ノブ１２を回転操作したとき、つば部２０が回転することに伴い、節度ピース２２が凹部２４の一つずつに係合して操作ノブ１２の回転に節度を与えるようになっている。
【００１６】
このように、本構成のものにおいて、回転軸１１は、離間する２つの受け部１４，１５により回転可能に支承されるものにあって、その２つの受け部１４，１５間に位置する部分に、弾性変形可能な波形部１８，１９を２つ、波形の起伏の方向を異ならせて有する。
【００１７】
これにより、２つの受け部１４，１５が図１に示すように偏心した状況にある場合（偏心量δ）、回転軸１１は、２つの受け部１４，１５の偏心状況に、波形部１８，１９の弾性変形によって応じる。すなわち、２つの受け部１４，１５間の偏心量δを波形部１８，１９の弾性変形によって吸収するものであり、その結果、一端部１１ａ及び他端部１１ｂは、受け部１４，１５に対して従来のもののようには傾斜せず、ほゞ直角に保持される。
【００１８】
しかも、波形部１８，１９は波形の起伏の方向を異ならせて存するものであり、それによって、複数の方向に、より柔軟に応じる。
かくして、回転軸１１は回転を阻害される力を従来のものようには受けず、円滑に回転されるものであり、従って、操作ノブ１２の操作が重くなるようなこともない。
【００１９】
なお、波形部を複数有するものとして公知の、前記特開平１０−１５１３８４号公報に記載されたものの波形の起伏の方向は、２つの波形部について同じであり、異ならないから、これを回転軸に適用しても、上述の、複数の方向に、より柔軟に応じる作用効果を得ることはできない。
【００２０】
波形部の数は２つに限られず、３つ、４つと増しても良い。波形部が３つであれば、波形の起伏の異なる方向は、６０度ずつの角度方向とすると良く、波形部が４つであれば、それは４５度ずつの角度方向とすると良い。これを式で表すと下記のようになる。
【００２１】
θ＝３６０÷２χ
θ：波形の起伏の異なる角度
χ：波形部の個数
但し、これに限られるものではなく、波形部の波形の方向は適当に異ならせていても良い。
このほか、本発明は上記し且つ図面に示した実施例にのみ限定されるものではなく、要旨を逸脱しない範囲内で適宜変更して実施し得る。
【００２２】
【発明の効果】
以上説明したように、本発明によれば、２つの受け部が偏心した状況にあっても、円滑に回転する回転軸を提供することができる。
【図面の簡単な説明】
【図１】本発明の一実施例を示す回転軸及びその支承部分の縦断側面図
【図２】回転軸の部分拡大側面図
【図３】図２の矢印Ａ方向から見た回転軸の部分拡大下面図
【図４】回転軸の部分拡大斜視図
【図５】従来例を示す図１部分相当拡大図
【符号の説明】
１１は回転軸、１４，１５は受け部、１８，１９は波形部を示す。
【図１】
2004108441.tif 000003
【図２】
2004108441.tif 000004
【図３】
2004108441.tif 000005
【図４】
2004108441.tif 000006
【図５】
2004108441.tif 000007